(57)【要約】  熱交換器の冷媒分配の偏りを抑制し熱交換性能を向上した熱交換装置および空気調和機を提供する。  冷媒が流れる伝熱管と、複数の前記伝熱管が接続され空気と冷媒とを熱交換させる熱交換器と、冷媒を前記複数の伝熱管に分配するデストリビュータと、前記デストリビュータに冷媒を流入させる流入管と、前記流入管の途中に接続され内部を流れる冷媒を合流させる合流管と、を備え、前記流入管と前記合流管との合流部が前記デストリビュータの近傍に位置する熱交換装置およびこれを備えた空気調和機とする。
2016135935.tif 000002
【特許請求の範囲】
【請求項１】
冷媒が流れる伝熱管と、複数の前記伝熱管が接続され空気と冷媒とを熱交換させる熱交換器と、冷媒を前記複数の伝熱管に分配するデストリビュータと、前記デストリビュータに冷媒を流入させる流入管と、前記流入管の途中に接続され内部を流れる冷媒を合流させる合流管と、を備え、前記流入管と前記合流管との合流部が前記デストリビュータの近傍に位置する熱交換装置。
【請求項２】
前記合流部の管内径が、合流前の前記流入管および前記合流管の管内径よりも大きい請求項１に記載の熱交換装置。
【請求項３】
冷媒はＲ３２が７０重量％以上を含むものであって、
前記合流部と前記デストリビュータとの距離Ｌｆが、前記合流部の管内径Ｄ１の６倍以内である請求項１に記載の熱交換装置。
【請求項４】
前記合流部と前記デストリビュータとの距離Ｌｆが、前記合流部の管内径Ｄ１の４倍以上である請求項１に記載の熱交換装置。
【請求項５】
冷媒流路に設けられ冷媒を減圧する膨張弁と、前記膨張弁から流出した冷媒が分岐する分岐部と、を備え、
前記熱交換器は、前記分岐部で分岐した冷媒が流れる第一のサブクーラ部を有し、
前記分岐した冷媒は、前記合流部で合流する請求項１に記載の熱交換装置。
【請求項６】
前記熱交換器は、さらに前記膨張弁の前に冷媒が流れる第二のサブクーラ部を有する請求項５に記載の熱交換装置。
【請求項７】
前記合流部と前記デストリビュータとの距離Ｌｆ[ｍ]と、前記合流部の管内径Ｄ１[ｍ]と、冷媒の質量速度Ｇ[ｋｇ／（ｍ２ｓ）]との関係が
Ｌｆ／Ｄ１≦１．２Ｇ０．３６である請求項１に記載の熱交換装置。
【請求項８】
請求項１から７のいずれか一つに記載の熱交換装置を備える空気調和機。
【発明の詳細な説明】
【技術分野】
【０００１】
本発明は、熱交換装置および空気調和機に関する。
【背景技術】
【０００２】
本技術分野の背景技術として、蒸発器として作用する熱交換器の入口側で気液二相流を均一分配し、熱交換器の能力を最大限発揮することを目的として、特許文献１では、デストリビュータの上流配管に直交し、上流配管の径よりも大きなチャンバ部を連結することで、冷媒分配の偏りを改善することが記載されている。【０００３】
また、特許文献２に開示された熱交換器は、放熱中の冷媒温度が大きく変化する冷媒を用いた場合でも熱交換器の熱交換器能力の低下を抑制するために、伝熱管の一部を４パス以上で構成したフィンアンドチューブ型熱交換器であって、各パスは段方向に略平行の冷媒流れとなる構成とし、さらに放熱器として用いた場合の各パスの冷媒入口が略隣り合う位置とした構成としている。これにより、空気側回路の通風抵抗を増加させることなく、また製造コストをアップさせること無く、熱交換能力の低下を低減できると記載されている（要約参照）。【０００４】
また、特許文献３が開示されている。特許文献３に開示された空気調和機は、霜の溶け残りを解消すると共に、高性能暖房能力を安価に実現可能できる空気調和機を提供するために、少なくとも圧縮機、室内熱交換器、膨張弁、室外熱交換器を冷媒回路で連結した冷凍サイクルを備える空気調和機において、室外熱交換器は複数系統の冷媒流路で構成され、室外熱交換器を蒸発器として使用時の複数系統の冷媒流路のいずれかの入口を室外熱交換器の最上段もしくは最上段から２段目の冷媒流通管に位置させることで、これを実現できると記載されている（要約参照）。
【先行技術文献】
【特許文献】
【０００５】
【特許文献１】日本国特開２００３−１２１０２９号公報
【特許文献２】日本国特開２０１４−２０６７８号公報
【特許文献３】日本国特開２０１１−１４５０１１号公報
【発明の概要】
【発明が解決しようとする課題】
【０００６】
空気調和機の熱交換器においては、複数に分岐する冷媒パスにおける気液二相流の分配を適正化し、蒸発器の出口部での各パスの比エンタルピを揃えることで熱交換器を最大限活用することができ、高性能化することが可能になる。【０００７】
特許文献１で示されたデストリビュータ及びこれを備えた空気調和機では、デストリビュータでの気液二相流の分配を均等化する手段として、連結するチャンバ構造を構成している。【０００８】
しかし特許文献１では、チャンバ部が特殊構造となり、製造が難しいことからコストの増加を招く。また横方向に寸法を必要とすることから、設置の自由度が小さくなり、特に横吹き型の室外機などに適用する場合には、横方向にスペースが必要なため、熱交換器の寸法が制限されて、性能向上につながらないという課題がある。【０００９】
また、空気調和機の熱交換器においては伝熱管内の冷媒流速を適正化することで、冷媒側の圧力損失と熱伝達率のバランスを良好に保つことができ、熱交換効率を高めることができる。その一手段として、ガス側から液側に至る冷媒流路の途中で複数の流路を合流または分岐させることが知られている。例えば、特許文献２に示す熱交換器においては、凝縮器として使用する際の冷媒流路を途中で合流させるようにして、液側での熱伝達率の向上を図ると共に、蒸発器として使用する際にはガス側の圧力損失を低減して、熱交換器の高性能化を図っている。【００１０】
熱交換器が凝縮器として作用する際には、空気の流入方向と冷媒流路方向とが略対向して流れる、いわゆる対向流的な冷媒流路を構成することで、空気の入口温度と冷媒出口温度とが近づいて、効率の良い熱交換が行えることも知られている。例えば、特許文献２に示す空気調和機の室外熱交換器においては、対向流的に凝縮器を使用する流路を構成している。【００１１】
しかしながら、特許文献２に示す冷媒流路を途中で合流させる配置と、特許文献３に示す対向流的な配置と、を併用した場合、冷媒流路の選択自由度が小さくなり、どちらか一方を選択せざるを得なくなるか、あるいは、各冷媒流路ごとの流路長さに差が生じてしまうことになる。その結果として、熱交換器が凝縮器として作用する場合と蒸発器として作用する場合のどちらか一方の冷媒分配を最適化すると（換言すれば、空気調和機の冷房運転と暖房運転のどちらか一方の冷媒分配を最適化すると）、他方の冷媒分配が悪化して、高効率な熱交換を実現できないという課題がある。【００１２】
また、特許文献３に示す空気調和機の室外熱交換器は、冷媒流路の液側を合流した後に熱交換器の下部で空気流に対して前面側に配置するサブクーラを備えている。サブクーラを備えることにより、室外熱交換器が凝縮器として作用する際の熱交換性能を向上させることができるが、室外熱交換器が蒸発器として作用する際には、熱交換器の下部に霜や氷が残りやすくなり、暖房の排水性に課題がある。【００１３】
そこで、本発明は、冷媒分配に偏りが生じることを抑制し熱交換器の熱交換性能を向上した熱交換装置および空気調和機を提供することを目的とする。
【課題を解決するための手段】
【００１４】
このような課題を解決するために、本発明にかかる熱交換装置あるいはこれを用いた空気調和機は、冷媒が流れる伝熱管と、複数の前記伝熱管が接続され空気と冷媒とを熱交換させる熱交換器と、冷媒を前記複数の伝熱管に分配するデストリビュータと、前記デストリビュータに冷媒を流入させる流入管と、前記流入管の途中に接続され内部を流れる冷媒を合流させる合流管と、を備え、前記流入管と前記合流管との合流部が前記デストリビュータの近傍に位置するように構成する。
【発明の効果】
【００１５】
本発明によれば、冷媒分配に偏りが生じることを抑制し熱交換器の熱交換性能を向上した熱交換装置および空気調和機を提供することができる。
【図面の簡単な説明】
【００１６】
【図１】第１実施形態に係る空気調和機の構成模式図である。
【図２】（ａ）は、第１実施形態に係る空気調和機の室外機における室外熱交換器の配置を示す斜視図であり、（ｂ）は、Ａ−Ａ線断面図である。
【図３】第１実施形態に係る空気調和機の室外熱交換器における冷媒流路の配置図である。
【図４】液側分配管の流路抵抗による性能影響を示す説明図である。
【図５】冷媒流路の配置図の変形例である。
【図６】第１実施形態に係るデストリビュータ流入配管と従来のものとの比較を示す模式図である。
【図７】第１実施形態に係るデストリビュータ流入配管の詳細構造である。
【図８】第１実施形態に係るデストリビュータにおける合流部との距離についての説明図である。
【図９】第１実施形態に係る空気調和機の背面側への接続配管配置図である。
【図１０】第１実施形態に係る空気調和機のデストリビュータ周りの拡大図である。
【図１１】第１実施形態に係る空気調和機の接続配管背面配置部分拡大図である。
【図１２】第２実施形態に係る空気調和機の室外熱交換器における冷媒流路の配置図である。
【図１３】第３実施形態に係る空気調和機の室外熱交換器における冷媒流路の配置図である。
【図１４】参考例に係る空気調和機の構成模式図である。
【図１５】（ａ）は、参考例に係る空気調和機の室外機における室外熱交換器の配置を示す斜視図であり、（ｂ）は、Ａ−Ａ断面図である。
【図１６】参考例に係る空気調和機の室外熱交換器における冷媒流路の配置図である。
【図１７】参考例に係る空気調和機の運転状態をモリエル線図上に示したものであり、（ａ）は冷房運転時を示し、（ｂ）は暖房運転時を示す。
【発明を実施するための形態】
【００１７】
以下、本発明を実施するための形態（以下「実施形態」という）について、適宜図面を参照しながら詳細に説明する。なお、各図において、共通する部分には同一の符号を付し重複した説明を省略する。
【００１８】
≪参考例≫
まず、本実施形態に係る空気調和機３００（後述する図１等参照）について説明する前に、参考例に係る空気調和機３００Ｃについて図１４から図１７を用いて説明する。
【００１９】
図１４は、参考例に係る空気調和機３００Ｃの構成模式図である。
【００２０】
図１４に示すように、参考例に係る空気調和機３００Ｃは、室外機１００Ｃと、室内機２００と、を備えており、室外機１００Ｃと室内機２００とは液配管３０およびガス配管４０で接続されている。なお、室内機２００は空気調和する室内（空調空間内）に配置され、室外機１００Ｃは室外に配置される。
【００２１】
室外機１００Ｃは、圧縮機１０と、四方弁１１と、室外熱交換器１２Ｃと、室外膨張弁１３と、レシーバ１４と、液阻止弁１５と、ガス阻止弁１６と、アキュムレータ１７と、室外ファン５０と、を備えている。室内機２００は、室内膨張弁２１と、室内熱交換器２２と、室内ファン６０と、を備えている。
【００２２】
四方弁１１は、４つのポート１１ａ〜１１ｄを有しており、ポート１１ａは圧縮機１０の吐出側と接続され、ポート１１ｂは室外熱交換器１２Ｃ（後述するガスヘッダ１１１）と接続され、ポート１１ｃはガス阻止弁１６およびガス配管４０を介して室内機２００の室内熱交換器２２（後述するガスヘッダ２１１）と接続され、ポート１１ｄはアキュムレータ１７を介して圧縮機１０の吸込側と接続されている。また、四方弁１１は、４つのポート１１ａ〜１１ｄの連通を切り替えることができるようになっている。具体的には、空気調和機３００Ｃの冷房運転時には、図１４に示すように、ポート１１ａとポート１１ｂとを連通させるとともに、ポート１１ｃとポート１１ｄとを連通させるようになっている。また、図示は省略するが、空気調和機３００Ｃの暖房運転時には、ポート１１ａとポート１１ｃとを連通させるとともに、ポート１１ｂとポート１１ｄとを連通させるようになっている。
【００２３】
室外熱交換器１２Ｃは、熱交換器部１１０Ｃと、熱交換器部１１０Ｃの下側に設けられたサブクーラ１３０と、を有している。
【００２４】
熱交換器部１１０Ｃは、冷房運転時には凝縮器として用いられ、暖房運転時には蒸発器として用いられるものであり、冷媒の流れ方向に対して、一方側（冷房運転時の上流側、暖房運転時の下流側）は、ガスヘッダ１１１と接続され、他方側（冷房運転時の下流側、暖房運転時の上流側）は、液側分配管１１２、デストリビュータ１１３を介して、室外膨張弁１３と接続されている。
【００２５】
サブクーラ１３０は、室外熱交換器１２Ｃの下部に形成されており、冷媒の流れ方向に対して、一方側（冷房運転時の上流側、暖房運転時の下流側）は、室外膨張弁１３と接続され、他方側（冷房運転時の下流側、暖房運転時の上流側）は、レシーバ１４、液阻止弁１５、液配管３０、室内膨張弁２１を介して、室内機２００の室内熱交換器２２（後述するデストリビュータ２１３）と接続されている。
【００２６】
室内熱交換器２２は、熱交換器部２１０を有している。熱交換器部２１０は、冷房運転時には蒸発器として用いられ、暖房運転時には凝縮器として用いられるものであり、冷媒の流れ方向に対して、一方側（冷房運転時の上流側、暖房運転時の下流側）は、液側分配管２１２を介してデストリビュータ２１３と接続され、他方側（冷房運転時の下流側、暖房運転時の上流側）は、ガスヘッダ２１１と接続されている。
【００２７】
次に、参考例に係る空気調和機３００Ｃの冷房運転時における動作について説明する。なお、冷房運転時には、ポート１１ａとポート１１ｂとが連通するとともに、ポート１１ｃとポート１１ｄとが連通するように四方弁１１が切り替えられている。
【００２８】
圧縮機１０から吐出した高温のガス冷媒は、四方弁１１（ポート１１ａ，１１ｂ）を経由して、ガスヘッダ１１１から室外熱交換器１２Ｃの熱交換器部１１０Ｃに送られる。熱交換器部１１０Ｃへ流入した高温のガス冷媒は、室外ファン５０によって送られた室外空気と熱交換し、凝縮して液冷媒になる。その後、液冷媒は、液側分配管１１２、デストリビュータ１１３、室外膨張弁１３を通過後、サブクーラ１３０、レシーバ１４、液阻止弁１５、液配管３０を介して室内機２００へ送られる。室内機２００へ送られた液冷媒は、室内膨張弁２１で減圧されて、デストリビュータ２１３、液側分配管２１２を通過して、室内熱交換器２２の熱交換器部２１０に送られる。熱交換器部２１０へ流入した液冷媒は、室内ファン６０によって送られた室内空気と熱交換し、蒸発してガス冷媒になる。この際、熱交換器部２１０で熱交換することにより冷却された室内空気は、室内ファン６０によって室内機２００から室内に吹き出され、室内の冷房が行われる。その後、ガス冷媒は、ガスヘッダ２１１、ガス配管４０を介して室外機１００Ｃへ送られる。室外機１００Ｃに送られたガス冷媒は、ガス阻止弁１６、四方弁１１（ポート１１ｃ，１１ｄ）を経由して、アキュムレータ１７を通過し、再び圧縮機１０へ流入し圧縮される。
【００２９】
次に、参考例に係る空気調和機３００Ｃの暖房運転時における動作について説明する。なお、暖房運転時には、ポート１１ａとポート１１ｃとが連通するとともに、ポート１１ｂとポート１１ｄとが連通するように四方弁１１が切り替えられている。
【００３０】
圧縮機１０から吐出した高温のガス冷媒は、四方弁１１（ポート１１ａ，１１ｄ）を経由して、ガス阻止弁１６、ガス配管４０を介して室内機２００へ送られる。室内機２００へ送られた高温のガス冷媒は、ガスヘッダ２１１から室内熱交換器２２の熱交換器部２１０に送られる。熱交換器部２１０へ流入した高温のガス冷媒は、室内ファン６０によって送られた室内空気と熱交換し、凝縮して液冷媒になる。この際、熱交換器部２１０で熱交換することにより加熱された室内空気は、室内ファン６０によって室内機２００から室内に吹き出され、室内の暖房が行われる。
【００３１】
その後、液冷媒は、液側分配管２１２、デストリビュータ２１３、室内膨張弁２１を通過後、液配管３０を介して室外機１００Ｃへ送られる。室外機１００Ｃへ送られた液冷媒は、液阻止弁１５、レシーバ１４、サブクーラ１３０を経由して、室外膨張弁１３で減圧されて、デストリビュータ１１３、液側分配管１１２を通過して、室外熱交換器１２Ｃの熱交換器部１１０Ｃに送られる。熱交換器部１１０Ｃへ流入した液冷媒は、室外ファン５０によって送られた室外空気と熱交換し、蒸発してガス冷媒になる。その後、ガス冷媒は、ガスヘッダ１１１、四方弁１１（ポート１１ｂ，１１ｄ）を経由して、アキュムレータ１７を通過し、再び圧縮機１０へ流入し圧縮される。
【００３２】
ここで、冷凍サイクル内に封入され、冷房運転時および暖房運転時に熱エネルギを運搬する作用をなす冷媒には、一例として、Ｒ４１０Ａ、Ｒ３２、Ｒ３２とＲ１２３４ｙｆとを含む混合冷媒、Ｒ３２とＲ１２３４ｚｅ（Ｅ）とを含む混合冷媒等が用いられている。なお、以下の説明においては、冷媒としてＲ３２を使用した場合を例に説明するが、他の冷媒を用いた場合についても、以下に説明する圧力損失、熱伝達率、および比エンタルピ差等の冷媒物性によりもたらされる作用・効果は同様に得られるため、他の冷媒を使用した場合の詳細な説明は割愛する。
【００３３】
次に、参考例に係る空気調和機３００Ｃの冷房運転時における運転状態をについて説明する。図１７（ａ）は、参考例に係る空気調和機３００Ｃの冷房運転時における運転状態をモリエル線図上に示したものである。
【００３４】
図１７（ａ）は、縦軸を圧力Ｐ、横軸を比エンタルピｈとするモリエル線図（Ｐ−ｈ線図）であり、符号ＳＬで示す曲線は飽和線であり、点Ａから点Ｆは冷媒の状態変化を示す。具体的には、Ａ点からＢ点は圧縮機１０での圧縮動作を示し、Ｂ点からＣ点は凝縮器として作用する室外熱交換器１２Ｃの熱交換器部１１０Ｃでの凝縮動作を示し、Ｃ点からＤ点は室外膨張弁１３での通過時圧力損失を示し、Ｄ点からＥ点はサブクーラ１３０での放熱動作を示し、Ｅ点からＦ点は室内膨張弁２１での減圧動作を示し、Ｆ点からＡ点は蒸発器として作用する室内熱交換器２２の熱交換器部２１０での蒸発動作を示しており、一連の冷凍サイクルを構成している。また、Δｈｃｏｍｐは圧縮機１０での圧縮動力で生じる比エンタルピ差を示し、Δｈｃは凝縮器での凝縮動作で生じる比エンタルピ差を示し、Δｈｓｃはサブクーラ１３０での放熱動作で生じる比エンタルピ差を示し、Δｈｅは蒸発器での蒸発動作で生じる比エンタルピ差を示す。
【００３５】
ここで、冷房能力Ｑｅ［ｋＷ］は、蒸発器での比エンタルピ差Δｈｅ［ｋＪ／ｋｇ］、冷媒循環量Ｇｒ［ｋｇ／ｓ］を用いて、式（１）で示すことができる。また、冷房運転時の成績係数ＣＯＰｅ［−］は、蒸発器での比エンタルピ差Δｈｅ［ｋＪ／ｋｇ］、圧縮機１０での圧縮動力で生じる比エンタルピ差Δｈｃｏｍｐ［ｋＪ／ｋｇ］を用いて、式（２）で示すことができる。
【００３６】
Ｑｅ＝Δｈｅ・Ｇｒ                              ・・・  （１）
ＣＯＰｅ＝Δｈｅ／Δｈｃｏｍｐ                  ・・・  （２）
次に、参考例に係る空気調和機３００Ｃの暖房運転時における運転状態をについて説明する。図１７（ｂ）は、参考例に係る空気調和機３００Ｃの暖房運転時における運転状態をモリエル線図上に示したものである。
【００３７】
前述のように、暖房運転時においては、冷房運転時の冷凍サイクル状態と比較して、室外熱交換器１２Ｃの熱交換器部１１０Ｃと室内熱交換器２２の熱交換器部２１０とが凝縮器と蒸発器とで入れ替わって動作を行うが、それ以外の動作はほぼ同様である。
【００３８】
即ち、Ａ点からＢ点は圧縮機１０での圧縮動作を示し、Ｂ点からＣ点は凝縮器として作用する室内熱交換器２２の熱交換器部２１０での凝縮動作を示し、Ｃ点からＤ点は室内膨張弁２１での通過時圧力損失を示し、Ｄ点からＥ点はサブクーラ１３０での放熱動作を示し、Ｅ点からＦ点は室外膨張弁１３での減圧動作を示し、Ｆ点からＡ点は蒸発器として作用する室外熱交換器１２の熱交換器部１１０Ｃでの蒸発動作を示しており、一連の冷凍サイクルを構成している。
【００３９】
なお、暖房能力Ｑｃ［ｋＷ］は式（３）で示すことができ、暖房運転時の成績係数ＣＯＰｃ［−］は式（４）で示すことができる。
【００４０】
Ｑｃ＝Δｈｃ・Ｇｒ                              ・・・  （３）
ＣＯＰｃ＝Δｈｃ／Δｈｃｏｍｐ
＝１＋ＣＯＰｅ−Δｈｓｃ／Δｈｃｏｍｐ  ・・・  （４）
なお、暖房運転時において、サブクーラ１３０での冷媒の温度が外気温より高い場合、外気に対して放熱ロスが大きくなる。このため、暖房運転時の成績係数ＣＯＰｃを高く保つためには、サブクーラ１３０での放熱量をできるだけ小さくする（即ち、Δｈｓｃを小さくする）必要がある。一方、サブクーラ１３０は、図１４に示すように、室外熱交換器１２Ｃの熱交換器部１１０Ｃの下部に設置されており、暖房運転時におけるドレンパンの凍結防止や、霜の堆積防止の効果がある。
【００４１】
また、図１７（ａ）および図１７（ｂ）を対比して示すように、室外熱交換器１２Ｃの熱交換器部１１０Ｃは、蒸発器として使用するとき（図１７（ｂ）のＦ−Ａ間）よりも、凝縮器として使用するとき（図１７（ａ）のＢ−Ｃ間）の方が、冷媒圧力が高く、冷媒流速が低いため、相対的に圧力損失が小さくなるとともに、表面熱伝達率が小さくなる。このため、冷房運転と暖房運転とを切り替えて使用する空気調和機３００Ｃにおいては、熱交換器部１１０Ｃの一流路あたりの冷媒循環量を、冷房と暖房の双方でバランスがよい流量になるように、熱交換器部１１０Ｃの流路分岐数が設定される。
【００４２】
＜室外熱交換器１２Ｃ＞
前述のように、熱交換器の高効率化を図るためには、熱交換器の途中で冷媒流路の合流や分岐を行う手法が取られる。参考例に係る空気調和機３００Ｃの室外熱交換器１２Ｃの構成について、図１５および図１６を用いて更に説明する。図１５（ａ）は、参考例に係る空気調和機３００Ｃの室外機１００Ｃにおける室外熱交換器１２Ｃの配置を示す斜視図であり、図１５（ｂ）は、Ａ−Ａ断面図である。
【００４３】
図１５（ａ）に示すように、室外機１００Ｃの内部は、仕切り板１５０で仕切られており、一方の部屋（図１５（ａ）において右側）には室外熱交換器１２Ｃ、室外ファン５０、室外ファンモータ５１（図１５（ｂ）に参照）が配置され、他方の部屋（図１５（ａ）において左側）には圧縮機１０、アキュムレータ１７等が配置される。
【００４４】
室外熱交換器１２Ｃは、ドレンパン１５１の上に載置され、筐体の２辺に沿う形でＬ字型に曲げられて設置されている。また、図１５（ｂ）に示すように、室外空気の流れを矢印Ａｆで示す。室外ファン５０により室外機１００Ｃの内部に吸い込まれた室外空気Ａｆは、室外熱交換器１２Ｃを通過し、通気口５２から室外機１００Ｃの外部に排出されるようになっている。
【００４５】
図１６は、参考例に係る空気調和機３００Ｃの室外熱交換器１２Ｃにおける冷媒流路の配置図である。なお、図１６は、室外熱交換器１２Ｃの一端側Ｓ１（図１５（ａ）参照）を見た図である。
【００４６】
室外熱交換器１２Ｃは、フィン１と、ターン部２Ｕを有して水平方向に往復する伝熱管２と、Ｕベンド３と、冷媒流路の合流部である三又ベント４と、を備えて構成されている。また、図１６においては、室外熱交換器１２Ｃが室外空気Ａｆの流れ方向に対して、伝熱管２を２列（第１列目Ｆ１、第２列目Ｆ２）配列して構成する場合を示す。また、伝熱管２は、第１列目Ｆ１と第２列目Ｆ２とで千鳥配置されている。また、図１６に示すように、右側から左側に流れる室外空気Ａｆの流れに対して、室外熱交換器１２Ｃの熱交換器部１１０Ｃを凝縮器として使用する（即ち、空気調和機３００Ｃの冷房運転時）際には、冷媒の流れは左側（ガスヘッダ１１１の側）から右側（デストリビュータ１１３の側）に流れるようになっており、疑似的に対向流となるように構成されている。
【００４７】
室外熱交換器１２Ｃの熱交換器部１１０Ｃを凝縮器として使用する（即ち、空気調和機３００Ｃの冷房運転時）際には、第２列目Ｆ２のガス側流入口Ｇ１，Ｇ２から流入したガス冷媒は、Ｌ字型に曲げられた室外熱交換器１２Ｃの一端部Ｓ１（図１５（ａ）参照）と他端部Ｓ２（図１５（ａ）参照）とを水平方向に往復しながら伝熱管２内を流通する。
【００４８】
この際、一端部Ｓ１（図１５（ａ）参照）では、伝熱管２の端部と、同じ列（第２列目Ｆ２）の隣接する伝熱管２の端部と、をＵ字型に曲げられたＵベンド３をロウ付けにより接続することにより、冷媒流路が構成されている。また、他端部Ｓ２（図１５（ａ）参照）では、伝熱管２をヘアピン形状に曲げた構造のターン部２Ｕ（図１６において破線で示す）を有することにより、ロウ付け部を有さずに、冷媒流路が構成されている。
【００４９】
このようにして、ガス側流入口Ｇ１，Ｇ２から流入したガス冷媒は、伝熱管２内を水平方向に往復しながら、互いに垂直方向に近づく方向（ガス側流入口Ｇ１からの冷媒は下方向、ガス側流入口Ｇ２からの冷媒は上方向）に流れ、上下に隣り合う位置まで至ったところで、三又ベンド４にて合流し、室外空気Ａｆの上流側に位置する第１列目Ｆ１の伝熱管２に流入する。なお、三又ベンド４は、第２列目Ｆ２の２つの伝熱管２の端部と、第１列目Ｆ１の１つの伝熱管２の端部と、をロウ付けにより接続し、冷媒流路の合流部が構成される。
【００５０】
三又ベンド４から第１列目Ｆ１の伝熱管２に流入した冷媒は、伝熱管２内を水平方向に往復しながら、上方向に流れ、液側流出口Ｌ１にて液側分配管１１２へと流出する。なお、以下の説明において、２つのガス側流入口（Ｇ１，Ｇ２）から流入し、三又ベンド４にて合流して、１つの液側流出口（Ｌ１）から流出するまでの冷媒流路を１つの「パス」と称するものとする。そして、液側分配管１１２へと流出した液冷媒は、デストリビュータ１１３にて他のパスからの液冷媒と合流し、室外膨張弁１３、サブクーラ１３０へと至って、レシーバ１４へと流通する。
【００５１】
ここで、図１６に示すように、ガス側流入口Ｇ３，Ｇ４から液側出口Ｌ２に至る冷媒流路は、ガス側流入口Ｇ１，Ｇ２から液側出口Ｌ１に至る冷媒流路と比較して、液側の第１列目Ｆ１で冷媒流路が長くなっている。また、ガス側流入口Ｇ５，Ｇ６から液側出口Ｌ３に至る冷媒流路は、ガス側流入口Ｇ１，Ｇ２から液側出口Ｌ１に至る冷媒流路と比較して、ガス側の第２列目Ｆ２で冷媒流路が短くなっている。
【００５２】
このように、参考例に係る空気調和機３００Ｃの室外熱交換器１２Ｃ（熱交換器部１１０Ｃ）においては、対向流配置と、途中合流と、を両立させる場合、各パスにおける冷媒流路の長さを均等にすることが困難であるという課題があった。このため、冷房運転と暖房運転の双方において最適な冷媒分配を設定することができなくなり、一方の運転（例えば、暖房運転）の出口比エンタルピを合わせるように液側分配管１１２の流路抵抗を設定した場合には、他方の運転（例えば、冷房運転）の比エンタルピ（冷媒の温度または乾き度）に各パスにおける冷媒流路ごとの差異を生じてしまい、結果として室外熱交換器１２Ｃ（熱交換器部１１０Ｃ）の効率が低下する。
【００５３】
また、前述のように、暖房運転時の成績係数ＣＯＰｃを高く保つため、サブクーラ１３０での放熱量をできるだけ小さくすることが望ましい。このため、サブクーラ１３０を室外空気Ａｆの流れ方向に対して上流側となる第１列目Ｆ１に配置して、サブクーラ１３０の配置された位置と対応する下流側の第２列目Ｆ２には、液側出口Ｌ７を配置して、液側出口Ｌ７からガス側流入口Ｇ１３，Ｇ１４へと流れるパスによりサブクーラ１３０で放熱された熱エネルギを効率的に回収するようになっている。
【００５４】
しかしながら、図１６に示す参考例に係る空気調和機３００Ｃの室外熱交換器１２Ｃ（熱交換器部１１０Ｃ）においては、暖房運転時において、最下部のパス（ガス側流入口Ｇ１３，Ｇ１４から液側出口Ｌ７へと流れるパス）が対向流的な配置となっておらず、冷房性能の向上に課題があった。
【００５５】
さらに、サブクーラ１３０は暖房運転時には前述のように、その風下側の熱交換器部で放熱した熱エネルギを回収しているが、すべて回収できるわけではないため、最小限の領域にせざるを得ない。
【００５６】
そのため、冷房運転時に伝熱管内の流速を増加させ、冷媒熱伝達率を増加させることで得られる凝縮性能向上効果は限られる。言い換えるとサブクーラ１３０の面積割合は暖房性能と冷房性能のトレードオフ関係となり、各々の性能を最大限に発揮できないという課題があった。
【００５７】
また、暖房運転時に室外膨張弁１３で減圧されて気液二相になった冷媒は、冷媒通路内で液冷媒が偏在した状態でデストリビュータ１１３へ流入することになる。特に図１６で示す構成の場合、室外膨張弁１３からデストリビュータ１１３に至る配管経路には曲管部が存在するため、曲管部で生じる遠心力により偏った液冷媒が、デストリビュータ１１３に流入する。
【００５８】
そのため、冷媒がデストリビュータ１１３に流入した後、複数の冷媒通路に分配される際に、各通路の乾き度に偏りが生じ、蒸発器として作用する熱交換器の出口比エンタルピにばらつきが生じて、熱交換器を効率的に使用することができない課題があった。
【００５９】
≪第１実施形態≫
次に、第１実施形態に係る空気調和機３００について図１から図４を用いて説明する。図１は、第１実施形態に係る空気調和機３００の構成模式図である。図２（ａ）は、第１実施形態に係る空気調和機３００の室外機１００における室外熱交換器１２の配置を示す斜視図であり、図２（ｂ）は、Ａ−Ａ線断面図である。
【００６０】
第１実施形態に係る空気調和機３００（図１および図２参照）は、参考例に係る空気調和機３００Ｃ（図１４および図１５参照）と比較して、室外機１００の構成が異なっている。具体的には、参考例の室外機１００Ｃは、熱交換器部１１０Ｃと、サブクーラ１３０と、を有する室外熱交換器１２Ｃを備えるのに対し、第１実施形態の室外機１００は、熱交換器部１１０と、サブクーラ１２０と、サブクーラ１３０と、を有する室外熱交換器１２を備える点で異なっている。その他の構成は同様であり、重複する説明は省略する。
【００６１】
室外熱交換器１２は、熱交換器部１１０と、熱交換器部１１０の下側に設けられたサブクーラ１２０と、サブクーラ１２０の下側に設けられたサブクーラ１３０と、を有している。
【００６２】
熱交換器部１１０は、冷房運転時には凝縮器として用いられ、暖房運転時には蒸発器として用いられるものであり、冷媒の流れ方向に対して、一方側（冷房運転時の上流側、暖房運転時の下流側）は、ガスヘッダ１１１と接続され、他方側（冷房運転時の下流側、暖房運転時の上流側）は、液側分配管１１２を介してデストリビュータ１１３と接続されている。
【００６３】
サブクーラ１２０は、室外熱交換器１２の下部でサブクーラ１３０よりも上側に形成されており、冷媒の流れ方向に対して、一方側（冷房運転時の上流側、暖房運転時の下流側）は、デストリビュータ１１３と接続され、他方側（冷房運転時の下流側、暖房運転時の上流側）は、室外膨張弁１３と接続されている。
【００６４】
サブクーラ１３０は、室外熱交換器１２の下部でサブクーラ１２０よりも下側に形成されており、冷媒の流れ方向に対して、一方側（冷房運転時の上流側、暖房運転時の下流側）は、室外膨張弁１３と接続され、他方側（冷房運転時の下流側、暖房運転時の上流側）は、レシーバ１４、液阻止弁１５、液配管３０、室内膨張弁２１を介して、室内機２００の室内熱交換器２２（後述するデストリビュータ２１３）と接続されている。
【００６５】
このような構成のため、空気調和機３００の冷房運転時には、ガスヘッダ１１１から熱交換器部１１０へ流入した高温のガス冷媒は、室外ファン５０によって送られた室外空気と熱交換し、凝縮して液冷媒になる。その後、液冷媒は、液側分配管１１２、デストリビュータ１１３、サブクーラ１２０、室外膨張弁１３を通過後、サブクーラ１３０、レシーバ１４、液阻止弁１５、液配管３０を介して室内機２００へ送られる。
【００６６】
また、空気調和機３００の暖房運転時には、室内機２００から液配管３０を介して室外機１００へ送られた液冷媒は、液阻止弁１５、レシーバ１４、サブクーラ１３０を経由して、室外膨張弁１３で減圧されて、サブクーラ１２０、デストリビュータ１１３、液側分配管１１２を通過して、室外熱交換器１２Ｃの熱交換器部１１０に送られる。熱交換器部１１０へ流入した液冷媒は、室外ファン５０によって送られた室外空気と熱交換し、蒸発してガス冷媒になり、ガスヘッダ１１１へ送られる。
【００６７】
＜室外熱交換器１２＞
第１実施形態に係る空気調和機３００の室外熱交換器１２の構成について、図３を用いて更に説明する。図３は、第１実施形態に係る空気調和機３００の室外熱交換器１２における冷媒流路の配置図である。なお、図３は、室外熱交換器１２の一端側Ｓ１（図２（ａ）参照）を見た図である。
【００６８】
室外熱交換器１２は、フィン１と、ターン部２Ｕを有して水平方向に往復する伝熱管２と、Ｕベンド３と、冷媒流路の合流部である三又ベント４と、繋ぎパイプ５と、を備えて構成されている。なお、室外熱交換器１２は、参考例の室外熱交換器１２Ｃ（図１６参照）と同様に、伝熱管２を２列（第１列目Ｆ１、第２列目Ｆ２）配列して構成され、伝熱管２が第１列目Ｆ１と第２列目Ｆ２とで千鳥配置され、室外熱交換器１２の熱交換器部１１０を凝縮器として使用する（即ち、空気調和機３００の冷房運転時）際には、冷媒の流れと室外空気Ａｆの流れが疑似的に対向流となるように構成されている。
【００６９】
室外熱交換器１２（熱交換器部１１０）の１番目のパス（ガス側流入口Ｇ１，Ｇ２から液側出口Ｌ１へと流れるパス）の冷媒の流れについて説明する。ガス側流入口Ｇ１，Ｇ２から流入したガス冷媒は、伝熱管２内を水平方向に往復しながら、互いに垂直方向に近づく方向（ガス側流入口Ｇ１からの冷媒は下方向、ガス側流入口Ｇ２からの冷媒は上方向）に流れ、上下に隣り合う位置まで至ったところで、三又ベンド４にて合流し、室外空気Ａｆの上流側に位置する第１列目Ｆ１の伝熱管２に流入する。
【００７０】
三又ベンド４から第１列目Ｆ１の伝熱管２に流入した冷媒は、伝熱管２内を水平方向に往復しながら、上方向に流れ、ガス側流入口Ｇ１と同一段（なお、第１列目Ｆ１と第２列目Ｆ２とは伝熱管２が千鳥配置されているため、ガス側流入口Ｇ１よりも半ピッチ下がった位置）で繋ぎパイプ５により、三又ベンド４と接続する第１列目Ｆ１の伝熱管２よりもひとつ下の伝熱管２に流入する。なお、繋ぎパイプ５は、ガス側流入口Ｇ１と同一段となる第１列目Ｆ１の伝熱管２の端部と、三又ベンド４と接続する第１列目Ｆ１の伝熱管２よりもひとつ下の伝熱管２の端部と、をロウ付けにより接続し、冷媒流路が構成される。
【００７１】
繋ぎパイプ５から伝熱管２に流入した冷媒は、伝熱管２内を水平方向に往復しながら、下方向に流れ、ガス側流入口Ｇ２と同一段（なお、第１列目Ｆ１と第２列目Ｆ２とは伝熱管２が千鳥配置されているため、ガス側流入口Ｇ２よりも半ピッチ下がった位置）で液側流出口Ｌ１にて液側分配管１１２へと流出する。
【００７２】
即ち、ガス側流入口Ｇ１から三又ベント４までの伝熱管２の水平方向の往復回数と、ガス側流入口Ｇ２から三又ベント４までの伝熱管２の水平方向の往復回数と、三又ベント４から繋ぎパイプ５までの伝熱管２の水平方向の往復回数と、繋ぎパイプ５から液側流出口Ｌ１までの伝熱管２の水平方向の往復回数と、が等しくなっている。
【００７３】
その後、液側分配管１１２へと流出した液冷媒は、デストリビュータ１１３にて他のパスからの液冷媒と合流し、サブクーラ１２０、室外膨張弁１３、サブクーラ１３０へと至って、レシーバ１４へと流通する。
【００７４】
そして、室外熱交換器１２の２番目のパス（ガス側流入口Ｇ３，Ｇ４から液側出口Ｌ２へと流れるパス）は、１番目のパス（ガス側流入口Ｇ１，Ｇ２から液側出口Ｌ１へと流れるパス）と同様の冷媒流路となっている。以下のパスについても同様であり、室外熱交換器１２（熱交換器部１１０）は、１番目のパスと同様の冷媒流路を複数（図３の例では７つ）備えている。
【００７５】
このような構成とすることにより、第１実施形態に係る空気調和機３００の室外熱交換器１２（熱交換器部１１０）は、対向流配置と、途中合流と、を両立させ、各パスにおける冷媒流路の長さを均等にすることができる。これにより、冷房運転と暖房運転の双方において好適な冷媒分配となるように液側分配管１１２の流路抵抗を設定することができる。
【００７６】
つまり、暖房運転において、出口比エンタルピを合わせるように液側分配管１１２の流路抵抗を設定する際、各パスの冷媒流路が同様であるため、各パスにおける液側分配管１１２の流路抵抗に差異を付ける必要がなくなる。このため、冷房運転において、液側分配管１１２の流路抵抗の差異に起因する各パスにおける冷媒流路の比エンタルピ（冷媒の温度または乾き度）の差異が生じることを防止して、熱交換効率が低下することを防止する。これにより、冷房運転と暖房運転の双方において、空気調和機３００の性能を向上させることができる。
【００７７】
また、暖房運転時のパスの冷媒流路の分岐部として、三又ベンド４を用いている。室外熱交換器１２の熱交換器部１１０を蒸発器として用いる暖房運転時には、液側出口Ｌ２から流入した液冷媒が室外熱交換器１２の第１列目Ｆ１で室外空気と熱交換され、気液混合冷媒となる。三又ベンド４の三又部分では、第１列目Ｆ１の伝熱管２の端部と接続される側からみて、２つの第２列目Ｆ２の伝熱管２の端部と接続される側への分岐部の冷媒流路形状が、対称な形状（左右均等形状）となっている（図示せず）。これにより、冷媒が三又ベンド４の三又部分と衝突して分岐することにより、ガス側流入口Ｇ１へ流れる冷媒と、ガス側流入口Ｇ２へ流れる冷媒との、液冷媒とガス冷媒との割合が均等になり、蒸発器出口部分での乾き度あるいは比エンタルピを略均等にすることができる。これにより、暖房運転時の熱交換性能が高くなり、高効率な空気調和機３００を実現できる。
【００７８】
また、例えば、特許文献２の熱交換器では、熱交換器の中間よりやや下側から上段まで繋ぐ配管と、その配管の先で分岐する三又部と、を有する三又配管を、伝熱管に接続するように構成されている（特許文献２の図１参照）。この様な構成のため、まず、三又部と配管とを溶融温度が高めのロウ材にて接続して三又配管を作成し、その後、伝熱管と三又配管とを溶融温度が低めのロウ材にて接続する必要がある。このため、工数増加や、三又部と配管とのロウ付け部の再溶融によるガス漏れ不良の発生など、製品信頼性の低下が生じやすい。これに対し、第１実施形態の室外熱交換器１２では、Ｕベンド３、三又ベンド４、繋ぎパイプ５を伝熱管２にロウ付けすることにより、室外熱交換器１２を製造することができ、熱交換性能を向上させるとともに、製造工数の削減、信頼性の向上を図ることができる。
【００７９】
また、図１および図３に示すように、第１実施形態に係る空気調和機３００の室外熱交換器１２は、サブクーラ１２０を備えており、冷媒の流れ方向に対して、デストリビュータ１１３と室外膨張弁１３との間に、サブクーラ１２０が配置されている。別の表現を用いれば、サブクーラ１２０とサブクーラ１３０との間に、室外膨張弁１３が配置されている。
【００８０】
このような構成により、空気調和機３００の冷房運転時において、熱交換器部１１０の各パスからの液冷媒がデストリビュータ１１３にて合流して、サブクーラ１２０に流入するようになっている。これより、冷媒の流速が増加し、冷媒側熱伝達率が向上することにより、室外熱交換器１２の熱交換性能が向上し、空気調和機３００の性能が向上する。
【００８１】
また、空気調和機３００の暖房運転時において、室外膨張弁１３で減圧され冷媒温度が低下した液冷媒が、サブクーラ１２０に流入するようになっている。これにより、サブクーラ１２０における放熱量を低減して、暖房運転時の成績係数ＣＯＰｃを向上させることができる。なお、サブクーラ１２０に流入する冷媒温度を暖房運転時の室外空気Ａｆの外気温度より低くすることにより、好適にサブクーラ１２０における放熱量を低減することができる。
【００８２】
また、図３に示すように、サブクーラ１２０およびサブクーラ１３０は、室外熱交換器１２の第１列目Ｆ１に設けられ、最下段にサブクーラ１３０が設けられ、その上にサブクーラ１２０が設けられている。
【００８３】
ここで、室外熱交換器１２（熱交換器部１１０）の８番目のパス（ガス側流入口Ｇ１５，Ｇ１６から液側出口Ｌ８へと流れるパス）は、ガス側流入口Ｇ１５，Ｇ１６から三又ベント４で合流するまでの第２列目Ｆ２の第１熱交換領域と、第１熱交換領域と同じ段（但し、千鳥配置のため半ピッチずれる）で、途中に繋ぎパイプ５が接続される第１列目Ｆ１の第２熱交換領域と、サブクーラ１２０，１３０と同じ段（但し、千鳥配置のため半ピッチずれる）で第２列目Ｆ２の第３熱交換領域と、で構成されている。
【００８４】
このような構成により、空気調和機３００の冷房運転時において、第１熱交換領域と第２熱交換領域とは、冷媒の流れと室外空気Ａｆの流れが疑似的に対向流となるようになっている。そして、第３熱交換領域は第２列目Ｆ２にあるものの、同じ段の第１列目Ｆ１には、サブクーラ１２０，１３０が設けられており、サブクーラ１２０，１３０には熱交換器部１１０で熱交換された後の液冷媒が流入するので、第３熱交換領域でも冷媒の流れと室外空気Ａｆの流れが疑似的に対向流となるようになっている。また、室外空気Ａｆの流れ方向に対して、８番目のパスの液側出口Ｌ８をサブクーラ１３０の下流側に設けることにより、空気調和機３００の暖房運転時において、サブクーラ１３０で放熱された熱エネルギを８番目のパスの第３熱交換領域で効率的に回収するようになっている。これにより、冷房運転と暖房運転の双方において、空気調和機３００の性能を向上させることができる。
【００８５】
また、室外熱交換器１２の第１列目Ｆ１は、垂直方向にみて、熱交換器部１１０、サブクーラ１２０、サブクーラ１３０の順に並ぶようになっている。このような配置とすることにより、暖房運転時において、蒸発器として作用する熱交換器部１１０と、ドレンパンの凍結防止等を目的として高温となるサブクーラ１３０との間に、その中間温度で動作するサブクーラ１２０を配置することができるので、フィン１を通じた熱伝導ロスを低減することができる。同様に、冷房運転時において、凝縮器として作用する熱交換器部１１０と、熱交換器部１１０で熱交換され室外膨張弁１３で減圧された液冷媒が流入して低温となるサブクーラ１３０との間に、その中間温度で動作するサブクーラ１２０を配置することができるので、フィン１を通じた熱伝導ロスを低減することができる。
【００８６】
＜液側分配管＞
次に、熱交換器部１１０の各パスの液側出口（Ｌ１，Ｌ２，…）と、デストリビュータ１１３と、を接続する液側分配管１１２の流路抵抗（圧力損失）について説明する。
【００８７】
液側分配管１１２の流路抵抗（圧力損失）は、各パスの分配管ごとに互いに±２０％以内に収まるように設定されることが望ましい。
【００８８】
ここで、液側分配管１１２の流路抵抗ΔＰＬｐ［Ｐａ］は、液側分配管１１２の管摩擦係数λ［−］、液側分配管１１２の長さＬ［ｍ］、液側分配管１１２の内径ｄ［ｍ］、冷媒密度ρ［ｋｇ／ｍ3 ］、冷媒流速ｕ［ｍ／ｓ］を用いて、式（５）で表すことができる。また、管摩擦係数λ［−］は、レイノルズ数Ｒｅ［−］を用いて、式（６）で表すことができる。また、レイノルズ数Ｒｅ［−］は、冷媒流速ｕ［ｍ／ｓ］、液側分配管１１２の内径ｄ［ｍ］、動粘性係数ν［Ｐａ・ｓ］を用いて、式（７）で表すことができる。
【００８９】
ΔＰＬｐ＝λ・（Ｌ／ｄ）・ρｕ2 ／２          ・・・（５）
λ      ＝０．３１６４・Ｒｅ-0.25               ・・・（６）
Ｒｅ    ＝ｕｄ／ν                            ・・・（７）
つまり、式（５）から求められた液側分配管１１２の流路抵抗ΔＰＬｐが、各パスの分配管ごとに互いに±２０％以内に収まるように設定されることが望ましい。そして、式（５）を液側分配管１１２の長さＬ［ｍ］、液側分配管１１２の内径ｄ［ｍ］について整理することにより、以下の式（８）に示す圧力損失係数ΔＰｃが各パスの分配管ごとに互いに±２０％以内に収まるように設定されることが望ましい。
【００９０】
ΔＰｃ  ＝Ｌ／ｄ5.25                           ・・・（８）
図２（ｂ）に示すように、室外熱交換器１２に対して水平方向に送風する室外機１００では、上下に略一様な風速分布が得られる。また、図３に示すように、室外熱交換器１２の熱交換器部１１０は、１番目のパスと同様の冷媒流路を複数備えている。このような構成により、液側分配管１１２の流路抵抗を大きく調整しなくても（換言すれば、±２０％以内の調整で）、冷媒分配を一様にすることができる。さらに、液側分配管１１２の流路抵抗の差を小さくする（±２０％以内に収める）ことにより、冷房運転と暖房運転の双方において、冷媒分配に差が生じにくくすることができる。
【００９１】
加えて、液側分配管１１２の流路抵抗（圧力損失）は、熱交換器高さ寸法Ｈ［ｍ］により生じる液ヘッド差の５０％以上に設定されることが望ましい。即ち、冷房中間能力（定格能力に対して５０％程度と能力）運転時の分配管抵抗をΔＰＬｐｒｃとすると、式（９）を満たすことが望ましい。なお、ρは冷媒密度［ｋｇ／ｍ3 ］、ｇは重力加速度［ｋｇ／ｓ2 ］である。
【００９２】
ΔＰＬｐｒｃ≧０．５ρｇＨ                      ・・・（９）
これにより、冷房運転時の定格能力に対して５０％程度と能力が小さく、凝縮器の冷媒圧力損失が小さくなる運転時においても、液ヘッド差による冷媒分配の悪化を防止することができ、冷房中間能力運転時のＣＯＰを向上することができる。
【００９３】
さらに、式（９）を満たすことは、熱交換器高さ寸法Ｈ［ｍ］が０．５ｍ以上である場合、冷房中間能力運転時の効率向上効果が大きいため、より効果的である。その理由は、熱交換器高さ寸法Ｈ［ｍ］が０．５ｍ以上の場合、冷媒側に生じるヘッド差が大きく、分配悪化による性能低下が生じやすくなるが、式（９）を満たすことにより、好適に冷媒分配の悪化を防止することができ、冷房中間能力運転時のＣＯＰを向上することができる。
【００９４】
図４は、第１実施形態に係る空気調和機３００の構成において、液側分配管１１２の流路抵抗による性能影響を示す説明図である。図４に示すグラフの横軸は、液側分配管１１２の流路抵抗を示し、縦軸は、冷房中間能力運転時のＣＯＰ、暖房定格運転時のＣＯＰ、ＡＰＦ（Annual Performance Factor；期間エネルギ効率）を示している。液側分配管１１２の流路抵抗による冷房中間能力運転時のＣＯＰの変化を実線で示し、液側分配管１１２の流路抵抗による暖房定格運転時のＣＯＰの変化を破線で示し、液側分配管１１２の流路抵抗によるＡＰＦの変化を点線で示す。また、図４には、式（９）を満たす領域を図示している。
【００９５】
図４に示すように、第１実施形態に係る空気調和機３００の構成において、液側分配管１１２の流路抵抗が増加するほど、冷房中間能力運転時のＣＯＰは向上するが、暖房定格運転時のＣＯＰが低下する傾向がある。これは、液側分配管１１２の流路抵抗の増加にしたがって、暖房運転時におけるサブクーラ１２０の温度が上昇し、サブクーラ１２０からの放熱量が増加するため、ＣＯＰが低下する。
【００９６】
そこで、暖房定格運転時のＣＯＰの低下をできる限り抑えつつ、ＡＰＦを高くすることができるように、暖房定格運転時の分配管抵抗ΔＰＬｐｄｔを式（１０）となるように設定することが望ましい。ここで、ΔＴｓａｔは、分配管抵抗による飽和温度差［Ｋ］である。
【００９７】
ΔＴｓａｔ（ΔＰＬｐｄｔ）≦５                  ・・・（１０）
これにより、暖房定格運転時におけるサブクーラ１２０の温度を、外気温度よりも高くならないようにすることができ、放熱ロスを抑えて、ＣＯＰを向上させることができる。
【００９８】
また、第１実施形態に係る空気調和機３００の冷凍サイクルに用いられる冷媒としては、Ｒ３２、Ｒ４１０Ａ、Ｒ２９０、Ｒ１２３４ｙｆ、Ｒ１２３４ｚｅ（Ｅ）、Ｒ１３４ａ、Ｒ１２５Ａ、Ｒ１４３ａ、Ｒ１１２３、Ｒ２９０、Ｒ６００ａ、Ｒ６００、Ｒ７４４を単独または複数混合した冷媒を使用することができる。
【００９９】
特に、冷媒としてＲ３２（Ｒ３２単独またはＲ３２を７０重量％以上含む混合冷媒）やＲ７４４を使用する冷凍サイクルにおいて、第１実施形態に係る空気調和機３００の構成を好適に用いることができる。Ｒ３２（Ｒ３２を７０重量％以上含む混合冷媒）やＲ７４４を使用した場合、他の冷媒を使用する場合に比較して、熱交換器の圧力損失が小さくなる傾向があり、冷媒の液ヘッド差による分配悪化が生じやすい。このため、第１実施形態に係る空気調和機３００の構成を用いることにより、冷媒分配悪化を低減し、空気調和機３００の性能を向上させることができる。
【０１００】
なお、図３において、室外熱交換器１２（熱交換器部１１０）の１番目のパス（ガス側流入口Ｇ１，Ｇ２から液側出口Ｌ１へと流れるパス）は、三又ベンド４にて合流した後、第１列目Ｆ１で水平方向に往復しながら上方向に流れ、繋ぎパイプ５を経由して、三又ベンド４と接続する第１列目Ｆ１の伝熱管２よりもひとつ下の伝熱管２から水平方向に往復しながら下方向に流れるものとして説明したが、冷媒流路の構成はこれに限定されるものではない。
【０１０１】
例えば、図５（ａ）のように、三又ベンド４にて合流した後、第１列目Ｆ１で水平方向に往復しながら下方向に流れ、繋ぎパイプ５Ａを経由して、三又ベンド４と接続する第１列目Ｆ１の伝熱管２よりもひとつ上の伝熱管２から水平方向に往復しながら上方向に流れる構成であってもよい。
【０１０２】
また、図５（ｂ）のように、三又ベンド４にて合流した後、第１列目Ｆ１で水平方向に往復しながら上方向に流れ、繋ぎパイプ５Ｂを経由して、ガス側流入口Ｇ２と同一段（但し、千鳥配置のため半ピッチずれる）の第１列目Ｆ１の伝熱管２から水平方向に往復しながら上方向に流れる構成であってもよい。また、図示は省略するが、三又ベンド４にて合流した後、第１列目Ｆ１で水平方向に往復しながら下方向に流れ、繋ぎパイプ５を経由して、ガス側流入口Ｇ１と同一段（但し、千鳥配置のため半ピッチずれる）の第１列目Ｆ１の伝熱管２から水平方向に往復しながら下方向に流れる構成であってもよい。
【０１０３】
なお、図５（ｂ）のような構成の場合、三又ベンド４と接続する第１列目Ｆ１の伝熱管２と、液側流出口Ｌ１と、が近接する。このため、図３や図５（ａ）のように、三又ベンド４と接続する第１列目Ｆ１の伝熱管２と、液側流出口Ｌ１と、が離れた構成とすることが、フィン１を通じた熱伝導ロスを低減する点からより望ましい。
【０１０４】
＜冷媒流路の合流部＞
さらに、蒸発器として作用する際にはデストリビュータ１１３における乾き度分配についても配慮しなければ、蒸発器出口の各パス温度がばらついて性能低下を招いてしまう。
【０１０５】
そこで、本実施例における空気調和機３００においては、暖房時にサブクーラ１２０を出た複数の冷媒流路がデストリビュータ１１３に流入する経路を図６の（ｂ）のように構成している。この経路は、デストリビュータ１１３へ直接繋がる流入管１１４と、流入管の途中に合流する合流管１１５とを有する。合流管１１５は、流入管１１４の合流部１１６に接続され、流入管１１４に対して略垂直かつデストリビュータ１１３近傍に接続されている。
【０１０６】
図６の（ａ）は一般的なデストリビュータ１１３への流入配管形状を示しており、上流部に曲がり部を有するために、内部を流れる気液二相流の内、慣性力が大きい液相が曲がり部の外側に偏ることで、デストリビュータ１１３での冷媒分配が偏る問題が生じる。
【０１０７】
これに対して、図６（ｂ）に示す本実施例の空気調和機３００におけるデストリビュータ１１３の流入管１１４では、デストリビュータ１１３の直前（デストリビュータ１１３から合流部１１６までの距離Ｌｆ）に合流部１１６を有することで、偏りを有する気液二相流が撹拌され、デストリビュータ１１３での冷媒分配は均等化される。
【０１０８】
流入管１１４および合流管１１５を流れる二相冷媒は、合流部１１６に到達するまでは液冷媒とガス冷媒とが分離し液冷媒が配管の壁面に沿って環状流で流れる。そして、合流部１１６では２つの環状流が交わることで液冷媒とガス冷媒とが撹拌されて気液混合状態となり噴霧流で流れる。噴霧流は、所定の距離を流れると徐々に液冷媒とガス冷媒とが混合した状態から分離した状態に遷移するため、合流部１１６はデストリビュータ１１３の近傍に位置することが望ましい。
【０１０９】
図７は、合流管１１５の詳細形状を示しており、合流部１１６の配管内径Ｄ１に対して、サブクーラ１２０からの流入管１１４および合流管１１５はそれぞれ合流部１１６よりも小さい内径ｄ１、ｄ２となっている。
【０１１０】
また、合流部１１６とデストリビュータ１１３入口との距離Ｌｆは合流部１１６の配管内径Ｄ１の５倍以内である。このように設定されることにより、合流による気液二相流の撹拌が十分に得られてデストリビュータ１１３でのかわき度が均等に分配されて、蒸発器の冷媒分配が均等となり、高効率な蒸発器を実現することができる。
【０１１１】
図８は、日本国特開２０１３−１７８０４４に示されている膨張弁後流側に生じる噴霧流（前記公知文献中では旋回噴流と表記）の環状流（前記公知文献中では気泡環状流と表記）への遷移長さが管内径の比（Ｌｆ／Ｄ１）が質量速度Ｇ［ｋｇ／ｍ２ｓ］により変化する特性であり、式（１１）で表される関係がある。この関係式は冷媒が噴霧流で流れる範囲を示している。
【０１１２】
Ｌｆ／Ｄ１≦１．２Ｇ０．３６           ・・・（１１）
本実施例におけるデストリビュータ１１３への流入管１１４では、デストリビュータ１１３の直前に合流部１１６を有しており、室外膨張弁１３後流側に生じる噴霧流と同様に気液二相流が混合状態になることから、同様に式（１１）により混合状態の範囲を推定することができる。
【０１１３】
ここで、図８の中で、菱形の記号（◆）で示しているのは、冷媒としてＲ３２を用い、定格暖房能力が１４[ｋＷ]相当の空気調和機の運転範囲であり、下記条件で算出したものである。
【０１１４】
冷媒質量流量  Ｇｒ＝０．００８〜０．０８３［ｋｇ／ｓ］
合流部内径    Ｄ１＝０．０１０７［ｍ］
上記の条件下では、噴霧流が環状流に遷移するＬｆ／Ｄ１の範囲は６．０〜１４．０となるため、この範囲を下回るようにおおよそ合流部内径に対して６倍以内（Ｌｆ／Ｄ１≦６）に合流部１１６とデストリビュータ１１３との距離Ｌｆを構成することで、運転範囲内において、デストリビュータ１１３での均等な冷媒分配が実現できることを示している。
【０１１５】
なお、運転範囲のうち使用頻度の高いＧｒ＝０．０１２〜０．０８３［ｋｇ／ｓ］となる範囲に対応して、Ｌｆ／Ｄ１≦７としても良い。一方で、ろう付け性を確保するためにはＬｆ／Ｄ１≧４とすることが望ましい。
【０１１６】
ここで云うロウ付け性の確保とは、近接した２箇所のろう付けを行う際に、一方を先にろう付けし、他方を後にろう付けした場合、前者が後者のろう付け時の加熱により再溶融してしまうことの防止である。つまり、デストリビュータ１１３下部に接続される配管のろう付けと、合流部１１６のろう付けとで、先にろう付けした部分が後にろう付けする際の熱影響により、前者のロウ材が再溶融しないようにする必要がある。ろう付け部の距離が大きく、配管の径が小さいほど他方への熱影響を少なくすることができ、Ｌｆ／Ｄ１＞４にすることで、お互いに近いろう付け部の不良を防止できる。これにより、ろう付け部の気密を確実に確保することができ、製品の信頼性を確保することが可能となる。
【０１１７】
次に、図９で示されているのは、空気調和機３００の室外機１００の背面側から見た機内配管の配置図である。ここで、液配管３０、ガス配管４０は室外機１００の背面側に接続された場合の構成を示している。
【０１１８】
背面側に接続配管（３０、４０）を設置するためには、液阻止弁１５（図９には示していない）とガス阻止弁１６から、それぞれ液配管３０、ガス配管４０が室外機１００内部を通って、背面側に至る経路が必要である。つまり、アキュムレータ１７や、膨張弁１３、デストリビュータ１１３などのサイクル構成部品だけでなく、これらを接続する配管もあるため、液配管３０やガス配管４０が通るスペースを回避して配置する必要がある。
【０１１９】
図１０は、第１実施形態に係るデストリビュータ１１３周りの配管構造を示しており、室外膨張弁１３とサブクーラ１３０とを接続する配管や、デストリビュータ１１３とサブクーラ１２０とを接続する配管（デストリビュータ流入管１１４、合流管１１５）が熱交換器部１１０の一端部Ｓ１に密集して配置されている。
【０１２０】
ここで、デストリビュータ１１３へ接続される配管は、図７で示されたデストリビュータ１１３直前で合流部１１６を有する形状を有しており、合流部の配管内径Ｄ１よりもサブクーラ１２０に接続される流入管１１４および合流管１１５の内径ｄ１、ｄ２の方が小さく設定されている。
【０１２１】
流入管１１４および合流管１１５の配管径が小さいことは、室外膨張弁１３とサブクーラ１３０との接続配管との干渉を防ぐような配管形状にて配置することが容易となり、液配管３０、ガス配管４０が配置されるスペースを空けることも可能である。
【０１２２】
また、合流部１１６に至る流入管１１４合流管１１５の経路に曲がり部を設けることで、管内の液冷媒に偏りが生じた場合においても、合流部１１６での二経路の冷媒が垂直方向に衝突し撹拌されることで、デストリビュータ１１３に流入する冷媒はほぼ管断面で均等な流動様式に変化させることができる。
【０１２３】
さらに、垂直合流させる合流部１１６の形状では、Ｙ字型のベンドを用いて設置した場合などの他の合流方法に対しては、ろう付け箇所を最小限にすることができ、製造コストの低減や漏れ信頼性の確保の面でも優位である。
【０１２４】
図１１はこれらの配管形状により、接続配管（液配管３０、ガス配管４０）を通すスペースを空けた状態の外観図であり、十分な接続配管の設置スペースを確保できることを示している。
【０１２５】
以上説明したように、デストリビュータ１１３の入口配管を構成することで、冷媒分配の均等化を維持した上で、室外機筐体内へのコンパクトな実装が実現できるため、熱交換器の幅寸法を最大限に大きくでき、高効率な空気調和機を実現することができる。
【０１２６】
なお、このような合流部１１６を利用した冷媒の分配構造は、本実施例のサブクーラ１２０，１３０がない場合であっても単独で採用することももちろん可能であり、２以上の冷媒流路を合流させる必要のある構造の場合以外にも、例えば気液二相で冷媒が流れる配管を途中で分岐し、デストリビュータ１１３上流側で合流させることで好適な冷媒分配を得ることができる。
【０１２７】
≪第２実施形態≫
次に、第２実施形態に係る空気調和機３００について、図１２を用いて説明する。図１２は、第２実施形態に係る空気調和機３００の室外熱交換器１２Ａにおける冷媒流路の配置図である。なお、図１２は、室外熱交換器１２Ａの一端側Ｓ１（図２（ａ）参照）を見た図である。
【０１２８】
第２実施形態に係る空気調和機３００は、第１実施形態に係る空気調和機３００と比較して、室外熱交換器１２Ａの構成が異なっている。具体的には、室外熱交換器１２Ａは、伝熱管２を３列（第１列目Ｆ１、第２列目Ｆ２、第３列目Ｆ３）配列して構成されている点で異なっている。その他の構成は同様であり、重複する説明は省略する。
【０１２９】
図１２に示すように、ガス側流入口Ｇ１，Ｇ２から流入したガス冷媒は、第３列目Ｆ３の伝熱管２内を水平方向に往復しながら、互いに垂直方向に離れる方向（ガス側流入口Ｇ１からの冷媒は上方向、ガス側流入口Ｇ２からの冷媒は下方向）に流れ、所定の位置まで離れた後、第３列目Ｆ３の伝熱管２の端部から第２列目Ｆ２の伝熱管２の端部へと接続されたＵベントを介して、第２列目Ｆ２の伝熱管２に流入する。以降、第２列目Ｆ２および第１列目Ｆ１における冷媒の流れは、第１実施形態と同様である（図３参照）。換言すれば、第２実施形態の室外熱交換器１２Ａは、２列の室外熱交換器１２（図３参照）に対してガス側の冷媒流路を延長した構成となっている。
【０１３０】
これにより、室外熱交換器１２Ａが３列の構成の場合においても、２列の場合（図３参照）と同様に空気調和機３００の高効率化を一層進めることができる。
【０１３１】
≪第３実施形態≫
次に、第３実施形態に係る空気調和機３００について、図１３を用いて説明する。図１３は、第３実施形態に係る空気調和機３００の室外熱交換器１２Ｂにおける冷媒流路の配置図である。なお、図１３は、室外熱交換器１２Ｂの一端側Ｓ１（図２（ａ）参照）を見た図である。
【０１３２】
第３実施形態に係る空気調和機３００は、第２実施形態に係る空気調和機３００と同様に、室外熱交換器１２Ｂが伝熱管２を３列（第１列目Ｆ１、第２列目Ｆ２、第３列目Ｆ３）配列して構成されている。一方、第２実施形態の室外熱交換器１２Ａは第２列目Ｆ２と第１列目Ｆ１との間に三又ベント４を配置したのに対し、第３実施形態の室外熱交換器１２Ｂは第３列目Ｆ３と第２列目Ｆ２との間に三又ベント４を配置した点で異なっている。その他の構成は同様であり、重複する説明は省略する。
【０１３３】
図１３に示すように、第３実施形態の室外熱交換器１２Ｂにおける第３列目Ｆ３および第２列目２における冷媒の流れは、第１実施形態の室外熱交換器１２における第２列目Ｆ２および第１列目Ｆ１における冷媒の流れと同様である。ガス側流入口Ｇ２と同じ段で第２列目Ｆ２の伝熱管２の端部からガス側流入口Ｇ２と同じ段で第１列目Ｆ１の伝熱管２の端部へと接続されたＵベントを介して、第１列目Ｆ１の伝熱管２に流入する。そして、Ｕベントから第１列目Ｆ１の伝熱管２に流入した冷媒は、第１列目Ｆ１の伝熱管２内を水平方向に往復しながら、上方向に流れ、ガス側流入口Ｇ１と同一段で液側流出口Ｌ１にて液側分配管１１２へと流出する。換言すれば、第３実施形態の室外熱交換器１２Ｂは、２列の室外熱交換器１２（図３参照）に対して液側の冷媒流路を延長した構成となっている。
【０１３４】
これにより、室外熱交換器１２Ｂが３列の構成の場合においても、２列の場合（図３参照）と同様に空気調和機３００の高効率化を一層進めることができる。加えて、三又ベント４で合流した後の冷媒流路（液側の冷媒流路）の流路長が長くなっており、相対的に伝熱管２内の冷媒流速の高い領域が増加する。
【０１３５】
なお、空気調和機３００の定格能力や、伝熱管総長、伝熱管断面積、冷媒種類に応じて、最適な冷媒流速となるように、パス数とともに三又ベンド４の位置を第２実施形態のように第２列目Ｆ２と第１列目Ｆ１との間に配置する（図１２参照）か、第３実施形態のように第３列目Ｆ３と第２列目Ｆ２との間に配置する（図１３参照）か、のどちらかを選択することが望ましい。これにより、熱交換器性能をより向上させることができる。
【０１３６】
また、現在主流となっている冷媒Ｒ４１０Ａに比べて、Ｒ３２やＲ７４４などを冷媒として使用した場合には冷媒流路における圧力損失が相対的に小さくなるため、第３実施形態（図１３参照）のように液側の合流後の流路長を長めに選択することにより、室外熱交換器１２Ｂおよびこれを備えた空気調和機３００の性能を最大限に引き出すことが可能となる。
【０１３７】
≪変形例≫
なお、本実施形態（第１〜３実施形態）に係る空気調和機３００は、上記実施形態の構成に限定されるものではなく、発明の趣旨を逸脱しない範囲内で種々の変更が可能である。
【０１３８】
以上の説明において、空気調和機３００を例に説明したが、これに限られるものではなく、冷凍サイクルを備える冷凍サイクル装置に広く適用することができる。物品を冷蔵または加熱が可能な冷蔵加熱ショーケース、飲料缶を冷蔵または加熱する自動販売機、液体を加熱し貯留するヒートポンプ式給湯機等に冷凍サイクルを備える冷凍サイクル装置に広く適用することができる。
【０１３９】
また、室外熱交換器１２（１２Ａ，１２Ｂ）は、室外空気の流れ方向に対して、２列または３列備えるものとして説明したが、これに限られるものではなく、４列以上あってもよい。
【０１４０】
また、室内熱交換器２２についても、室外熱交換器１２（１２Ａ，１２Ｂ）と同様に、冷媒流路のパスＰ（図３参照）の構成を複数備えるようにしてもよい。また、室外熱交換器１２の液側分配管１１２の構成を室内熱交換器２２の液側分配管２１２に適用してもよい。
【符号の説明】
【０１４１】
１          フィン
２          伝熱管
３          Ｕパイプ
４          三又パイプ
５          繋ぎパイプ
１０        圧縮機
１１        四方弁
１２        室外熱交換器
１３        室外膨張弁
１４        レシーバ
１５        液阻止弁
１６        ガス阻止弁
１７        アキュムレータ
２１        室内膨張弁
２２        室内熱交換器
３０        液配管
４０        ガス配管
５０        室外ファン
６０        室内ファン
１００      室外機
２００      室内機
３００      空気調和機
１１０      熱交換器部
１１１      ガスヘッダ
１１２      液側分配管
１１３      デストリビュータ
１１４      流入管
１１５      合流管
１１６      合流部
１２０      サブクーラ
１３０      サブクーラ
Ｓ１        一端部
Ｓ２        他端部
Ｆ１        第１列目（複数本の伝熱管の列）
Ｆ２        第２列目（複数本の伝熱管の列）
Ｆ３        第３列目（複数本の伝熱管の列）
Ｇ１，Ｇ２  ガス側流入口
Ｌ１        液側流出口
Ｌｆ        デストリビュータと合流部との距離
Ｄ１        合流部内径
ｄ１        流入管内径
ｄ２        合流管内径
【図１】
2016135935.tif 000003
【図２】
2016135935.tif 000004
【図３】
2016135935.tif 000005
【図４】
2016135935.tif 000006
【図５】
2016135935.tif 000007
【図６】
2016135935.tif 000008
【図７】
2016135935.tif 000009
【図８】
2016135935.tif 000010
【図９】
2016135935.tif 000011
【図１０】
2016135935.tif 000012
【図１１】
2016135935.tif 000013
【図１２】
2016135935.tif 000014
【図１３】
2016135935.tif 000015
【図１４】
2016135935.tif 000016
【図１５】
2016135935.tif 000017
【図１６】
2016135935.tif 000018
【図１７】
2016135935.tif 000019
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
冷媒が流れる伝熱管と、複数の前記伝熱管が接続され空気と冷媒とを熱交換させる熱交換器と、冷媒を前記複数の伝熱管に分配するデストリビュータと、前記デストリビュータに冷媒を流入させる流入管と、前記流入管の途中に接続され内部を流れる冷媒を合流させる合流管と、を備え、前記流入管と前記合流管との合流部が前記デストリビュータの近傍に位置し、
前記合流管は、前記流入管に対して略垂直に接続されている、熱交換装置。
【請求項２】
冷媒が流れる伝熱管と、複数の前記伝熱管が接続され空気と冷媒とを熱交換させる熱交換器と、冷媒を前記複数の伝熱管に分配するデストリビュータと、前記デストリビュータに冷媒を流入させる流入管と、前記流入管の途中に接続され内部を流れる冷媒を合流させる合流管と、を備え、前記流入管と前記合流管との合流部が前記デストリビュータの近傍に位置し、
前記合流部の管内径が、合流前の前記流入管および前記合流管の管内径よりも大きい、熱交換装置。
【請求項３】
冷媒はＲ３２が７０重量％以上を含むものであって、
前記合流部と前記デストリビュータとの距離Ｌｆが、前記合流部の管内径Ｄ１の６倍以内である請求項１に記載の熱交換装置。
【請求項４】
前記合流部と前記デストリビュータとの距離Ｌｆが、前記合流部の管内径Ｄ１の４倍以上である請求項１に記載の熱交換装置。
【請求項５】
冷媒流路に設けられ冷媒を減圧する膨張弁と、前記膨張弁から流出した冷媒が分岐する分岐部と、を備え、
前記熱交換器は、前記分岐部で分岐した冷媒が流れる第一のサブクーラ部を有し、
前記分岐した冷媒は、前記合流部で合流する請求項１に記載の熱交換装置。
【請求項６】
前記熱交換器は、さらに前記膨張弁の前に冷媒が流れる第二のサブクーラ部を有する請求項５に記載の熱交換装置。
【請求項７】
前記合流部と前記デストリビュータとの距離Ｌｆ［ｍ］と、前記合流部の管内径Ｄ１［ｍ］と、冷媒の質量速度Ｇ［ｋｇ／（ｍ２ｓ）］との関係が
Ｌｆ／Ｄ１≦１．２Ｇ０．３６である請求項１に記載の熱交換装置。
【請求項８】
請求項１から７のいずれか一つに記載の熱交換装置を備える空気調和機。
【国際調査報告】
2016135935.tif 000020
2016135935.tif 000021
2016135935.tif 000022
2016135935.tif 000023